(57)【要約】      （修正有）【課題】花粉症の症状の緩和に有効なツボを効果的に刺激することができるツボ刺激用テープを提供する。【解決手段】ツボ刺激用テープ１は、伸縮性を有する帯状の粘着テープ１０と、複数の凸部２０とを備える。複数の凸部２０は、粘着テープ１０の粘着面において、粘着テープ１０の長手方向に並んで配置される。【選択図】図１
0003189113.tif 000002
【実用新案登録請求の範囲】
【請求項１】
伸縮性を有する帯状の粘着テープと、
前記粘着テープの粘着面において前記粘着テープの長手方向に並んで配置された複数の凸部と、
を備えるツボ刺激用テープ。
【請求項２】
前記凸部は、前記粘着テープの粘着面において前記粘着テープの長手方向に一列に並んで配置される、
請求項１に記載のツボ刺激用テープ。
【請求項３】
前記凸部は、粒状の部材である、
請求項１又は２に記載のツボ刺激用テープ。
【考案の詳細な説明】
【技術分野】
【０００１】
本考案は、ツボ刺激用テープ、特に花粉症の症状の緩和に有効なツボ刺激用テープに関するものである。
【背景技術】
【０００２】
人間の手首の各部には、東洋医学、特に鍼灸、指圧で言う各種のツボ（経穴）が存在する。これらのツボを意識的に刺激することにより、各種治療効果、或いは、病気予防効果を得られることが知られている。そして、これらのツボを効果的に刺激するための各種のツボ刺激用具が案出されている。例えば、特許文献１には、ツボ刺激パットが開示されている。このツボ刺激パットは、可撓性を有する平板状のパット本体の中央部の表面に凸部を形成したものである。使用者は、手首内側に存在する内関というツボに凸部が当たるようにパットを配置し、リストバンドなどの保持手段によってパットを保持することが記載されている。
【先行技術文献】
【特許文献】
【０００３】
【特許文献１】特開２００４−１６０２０４号公報
【考案の概要】
【考案が解決しようとする課題】
【０００４】
花粉症の症状の緩和には、手首の内側において手首の腱のすぐ外側の窪んだ部分に位置するツボを刺激することも有効である。しかし、このような位置にあるツボを効果的に刺激することができるツボ刺激用具は、従来存在していなかった。本考案の課題は、花粉症の症状の緩和に有効なツボを効果的に刺激することができるツボ刺激用テープを提供することにある。
【課題を解決するための手段】
【０００５】
本考案の第１の態様に係るツボ刺激用テープは、伸縮性を有する帯状の粘着テープと、複数の凸部とを備える。複数の凸部は、粘着テープの粘着面において、粘着テープの長手方向に並んで配置される。
【０００６】
本考案の第２の態様に係るツボ刺激用テープは、第１の態様のツボ刺激用テープであって、凸部は、粘着テープの粘着面において粘着テープの長手方向に一列に並んで配置される。
【０００７】
本考案の第３の態様に係るツボ刺激用テープは、第１の態様または第２の態様のツボ刺激用テープであって、凸部は、粒状の部材である。
【考案の効果】
【０００８】
本考案の第１の態様に係るツボ刺激用テープでは、粘着テープが伸縮性を有する帯状のものであるので、手首の中央の腱のすぐ外側の窪んだ部分に、腱に沿って容易に貼り付けることがきる。また、手首の中央の２つの腱の間の部分に沿って容易に貼り付けることもできる。そして、粘着テープの粘着面には、粘着テープの長手方向に沿って複数の凸部が配置されているので、上記の部分を凸部によって刺激することができる。これにより、花粉症の症状緩和に有効なツボを効果的に刺激することができる。さらに、上記の部分は、手首が使われることにより皮膚が頻繁に伸縮する部分であるが、粘着テープが伸縮性を有するため皮膚から剥がれ難い。
【０００９】
本考案の第２の態様に係るツボ刺激用テープでは、凸部が、粘着テープの粘着面において粘着テープの長手方向に一列に並んで配置される。これにより、手首の腱に沿った部分をより有効に刺激することができる。
【００１０】
本考案の第３の態様に係るツボ刺激用テープでは、凸部は、粒状の部材である。このため、凸部と接触する皮膚を傷つける恐れが少ない。
【図面の簡単な説明】
【００１１】
【図１】本考案の一実施形態に係るツボ刺激用テープの斜視図。
【図２】ツボ刺激用テープの上面図。
【図３】ツボ刺激用テープを手首に貼付した状態を示す図。
【図４】比較例に係るツボ刺激用パッチの上面図。
【考案を実施するための形態】
【００１２】
以下、図面を参照して、本考案の一実施形態に係るツボ刺激用テープ１について説明する。図１は、本考案の一実施形態に係るツボ刺激用テープ１の斜視図であり、図２は、ツボ刺激用テープ１の上面図である。ツボ刺激用テープ１は、粘着テープ１０と、複数の凸部２０とを備える。なお、図面においては、一部の凸部についてのみ符号（２０）を付している。
【００１３】
粘着テープ１０は、キネシオロジーテープなどの伸縮性を有する素材で形成されており、薄い帯状の形状を有する。粘着テープ１０の片面には、皮膚粘着用に好適な接着剤が塗布された粘着面となっている。図２に示すように、粘着テープ１０は、幅Ｗ、長さＬの細長形状を有する。幅Ｗは例えば５ｍｍ〜１０ｍｍであり、好ましくは８ｍｍ程度である。長さＬは、たとえば３０ｍｍ〜８０ｍｍであり、好ましくは６０ｍｍ程度である。幅Ｗ及び長さＬは、図３に示すような手首の腱の外側において腱に沿った窪んだ部分（以下、簡潔に、「窪み部」と呼ぶ）に貼付するのに適した寸法である。なお、粘着テープ１０の長手方向における一方の端部１１は、円弧状に湾曲した形状に形成されている。
【００１４】
複数の凸部２０は、粘着テープ１０の粘着面において粘着テープ１０の長手方向に並んで配置されている。凸部２０は、粘着テープ１０の長手方向に一列に並んで配置されている。複数の凸部２０は、概ね等間隔に並んで配置されている。凸部２０は、それぞれ粒状の形状を有しており、金属製、或いは、樹脂製の部材である。
【００１５】
このツボ刺激用テープ１は図３に示すような手首の窪み部に貼付されて使用される。ここで、粘着テープ１０が伸縮性を有する帯状のものであるので、腱に沿って窪み部にツボ刺激用テープ１を容易に貼り付けることがきる。
【００１６】
そして、粘着テープ１０の粘着面には、粘着テープ１０の長手方向に沿って複数の凸部２０が配置されているので、上記の窪み部のツボを凸部２０によって刺激することができる。これにより、花粉症の症状緩和に有効なツボを効果的に刺激することができる。
【００１７】
具体的には、手首にある「内関」というツボを刺激することができる。「内関」は、手首の腱の親指側の側方において、手と手首との境界から肘側へ指の幅、約２本分の位置にある。図３において、３０は、内関の位置を示している。「内関」は、上述したような位置にあるといわれているが、これを鍼灸の資格者ではない一般人が正確に探し当てて刺激することは容易ではない。しかし、本考案に係るツボ刺激用テープ１によれば、複数の凸部２０が粘着テープ１０の長手方向に並んで配置されている。従って、手首の親指側の窪み部に沿ってツボ刺激用テープ１を貼付すれば、「内関」の位置を正確に探し当てることができない一般人であっても、「内関」を的確に刺激して花粉症の症状を緩和することができる。
【００１８】
さらに、本考案の考案者は、手首の腱の親指側の窪み部に沿って「内関」以外の位置を合わせて刺激することにより、花粉症の症状をより一層、緩和できることを見出した。すなわち、手首には、腱の親指側の窪み部に沿って、「内関」を通る経絡が走っているといわれている。従って、ツボ刺激用テープ１を腱の親指側の窪み部に沿って貼付すれば、「内関」を通る経絡上の複数の位置を「内関」と共に刺激することができる。これにより、花粉症の症状をより有効に緩和することができる。
【００１９】
また、上記の窪み部は、手首が使われることにより皮膚が頻繁に伸縮する部分であるが、粘着テープ１０が伸縮性を有するため皮膚から剥がれ難い。また、粘着テープ１０の端部１１が手のひら側に位置するようにツボ刺激用テープ１を貼付するとよい。手のひらと手首との境界部分は、手首を使うことにより皮膚が大きく伸縮する部分であるが、粘着テープ１０の端部１１が湾曲した形状であることにより、皮膚からはがれ難くすることができる。さらに、凸部２０は粒状の部材であるので、凸部２０と接触する皮膚を傷つける恐れが少ない。
【実施例】
【００２０】
本考案の実施例として、以下のようなツボ刺激用テープを作成した。
【００２１】
まず、粘着テープ１０として、幅（Ｗ）８ｍｍ、長さ（Ｌ）６０ｍｍの細長形状のキネシオロジーテープを用いた。また、凸部２０として、直径１．２ｍｍの金粒１０個を粘着テープ１０上に長手方向に沿って概ね等間隔に配置した。
【比較例】
【００２２】
また、本考案の比較例として、図４に示すようなツボ刺激用パッチを作成した。このツボ刺激用パッチは、正方形のパッチ４０と、凸部４１とを有する。パッチ４０の一辺（D）は８ｍｍであり、キネシオロジーテープを用いて作成した。また、凸部４１として直径１．２ｍｍの金粒１個をパッチ４０の中央に配置した。
【００２３】
以上の実施例に係るツボ刺激用テープと比較例に係るツボ刺激用パッチとについて、被験者９０人に対して試験を行った。試験では、実施例に係るツボ刺激用テープと比較例に係るツボ刺激用パッチとを被験者の手首に貼付し、花粉症の症状が緩和されたかについてアンケートを行った。その結果を以下の表１に示す。
【００２４】
【表１】
0003189113.tif 000003
表１から明らかなように、実施例に係るツボ刺激用テープにより花粉症の症状緩和が、比較例に係るツボ刺激用パッチよりも強く得られていることが分かる。
【００２５】
以上、本考案の一実施形態について説明したが、本考案は上記実施形態に限定されるものではなく、考案の要旨を逸脱しない範囲で種々の変更が可能である。
【００２６】
凸部２０の配置は、粘着テープ１０の長手方向に沿っていればよく、必ずしも上記のような配置に限定されない。例えば、凸部２０の配置は、一列に限らず、２列以上で配置されてもよい。ただし、上述した窪み部において腱に沿ってツボをより効果的に刺激するためには、一列に配置されることが望ましい。また、凸部２０は、等間隔に配置されるのみならず、全体的又は部分的に不等間隔に配置されてもよい。
【００２７】
凸部２０は粒状に限らず他の形状であってもよい。例えば、粘着面と接触する側が平らな突起であってもよい。或いは、角のある形状であってもよい。
【００２８】
粘着テープ１０の端部は、上記のように湾曲した形状とは限らない。また、粘着テープ１０の両端が湾曲した形状であってもよい。
【００２９】
凸部２０の素材は、上述した金属、又は、樹脂に限らず、ツボを刺激できる程度の硬さを有するものであれば足りる。
【産業上の利用可能性】
【００３０】
本考案は、花粉症の症状の緩和に有効なツボを効果的に刺激することができる効果を有するものであり、ツボ刺激用テープとして有用である。
【符号の説明】
【００３１】
１    ツボ刺激用テープ
１０  粘着テープ
２０  凸部
【図１】
0003189113.tif 000004
【図２】
0003189113.tif 000005
【図３】
0003189113.tif 000006
【図４】
0003189113.tif 000007